(57)【要約】【課題】取付施工がきわめて簡単で、施工費の大幅な低減化を図ることができ、しかも正確に施工することのできる手摺の取付方法に係る。【解決手段】コンクリート製の手摺取付用堰壁１を形成するための型枠２を枠組みして内部に配筋し、アンカー部材４を、アンカー部材配設金具５を用いて、隣り合う各アンカー部材４の互いの垂直面が同一面になるように型枠長手方向に一定間隔に配置して該型枠２に取り外し可能に堅固に固定し、次に型枠２内にコンクリートモルタル６を打設し、コンクリートモルタル６の硬化をまってアンカー部材配設金具５をアンカー部材４及び型枠２から取り外し、且つ型枠２を撤去することによって、アンカー部材４の下部４ａが手摺取付用堰壁１に埋設状態に一体的に取り付けられ、アンカー部材４に筒状手摺支柱３が嵌合固定されるようにした。【選択図】図９
2010209597.tif 000002
【特許請求の範囲】
【請求項１】
コンクリート製の手摺取付用堰壁を形成するための型枠を枠組みして内部に配筋し、前記堰壁に手摺支柱を取り付けるためのアンカー部材を、アンカー部材配設金具を用いて、該型枠内に手摺支柱の取付間隔に合わせて、且つ隣り合う各アンカー部材の互いの垂直面が同一面になるように型枠長手方向に配置して該型枠に取り外し可能に堅固に固定し、次に型枠内にコンクリートモルタルを打設し、コンクリートモルタルの硬化をまってアンカー部材配設金具をアンカー部材及び型枠から取り外し、且つ型枠を撤去することによって、アンカー部材の下部が手摺取付用堰壁に埋設状態に一体的に取り付けられ、しかして該手摺取付用堰壁に立設されたアンカー部材に筒状手摺支柱を嵌合固定することによって、手摺がコンクリート製の手摺取付用堰壁に取り付けられるようにした手摺の取付方法。
【請求項２】
前記アンカー部材配設金具は、型枠の上縁に水平に載置される水平支持ゲージと、該水平支持ゲージに垂直に一体的に形成される垂直支持ゲージと、手摺支柱の取付間隔に合わせて隣合う垂直支持ゲージ間に係脱可能に係止される間隔保持ゲージと、からなる請求項１に記載の手摺の取付方法。
【請求項３】
アンカー部材をアンカー部材配設金具の垂直支持ゲージに挿通させて、アンカー部材の下端部が垂直支持ゲージより露出して下方に延びる状態にアンカー部材を垂直支持ゲージに取り外し可能に固定し、この状態でアンカー部材配設金具を、その水平支持ゲージを型枠の上縁に載置し、且つ隣り合う垂直支持ゲージ間に間隔保持ゲージを係止するようにして型枠長手方向に順次配置し、しかる後に型枠長手方向両端部のアンカー部材配設金具をその水平支持ゲージが型枠上縁に水平状態に、従って垂直支持ゲージ及びこれに固定されるアンカー部材が垂直状態になるように調整して、型枠長手方向両端部の水平支持ゲージを型枠に仮止めし、この状態で型枠長手方向両端部のアンカー部材配設金具の垂直支持ゲージ及びこれに固定されるアンカー部材にわたって長手方向に水糸を張設し、この水糸に各垂直支持ゲージ及びアンカー部材が沿うようにして互いの垂直面が同一面になるように各アンカー部材配設金具を調整し、しかる後に各アンカー部材配設金具を型枠上縁に取り外し可能に堅固に固定し、この状態で、型枠内にコンクリートモルタルを打設し、しかしてコンクリートモルタルの硬化をまってアンカー部材配設金具をアンカー部材及び型枠から取り外し、且つ型枠を撤去することによって、アンカー部材の下部が手摺取付用堰壁に埋設状態に一体的に取り付けられ、該アンカー部材に手摺支柱を取り付けるようになっている手摺の取付方法。
【請求項４】
アンカー部材は垂直支持ゲージにビスによって取り外し可能に固定されるようになっている請求項１〜３の何れかに記載の手摺の取付方法。
【請求項５】
アンカー部材配設金具の水平支持ゲージはビスによって型枠に取り外し可能に固定されるようになっている請求項１〜４の何れかに記載の手摺の取付方法。
【請求項６】
水平支持ゲージには前記ビスを覆うためのケージカバーが被覆されるようになっている請求項１〜５の何れかに記載の手摺の取付装置。
【請求項７】
互いに隣り合う前記垂直支持ゲージの対向側面には係合突部が突設されると共に、前記間隔保持ケージの長手方向両端部には前記係合突部に上方側から嵌合するようにして係止するための係合凹部が形成されてなる請求項１〜６の何れかに記載の手摺の取付方法。
【請求項８】
前記アンカー部材は、中空又は中実状の断面矩形状ないし円形状のアルミニウム製棒状部材からなる請求項１〜７の何れかに記載の手摺の取付方法。
【請求項９】
前記アンカー部材の下部には鉄筋を係合するための係合孔が形成されてなる請求項１〜８の何れかに記載の手摺の取付方法。
【請求項１０】
前記アンカー部材配設金具の水平支持ゲージに垂直支持ケージがビスによって一体的に取り付けられるようになっている請求項１〜９の何れかに記載の手摺の取付方法。
【請求項１１】
前記アンカー部材とこれに嵌合される筒状手摺支柱とはビスによって固定されるようになっている請求項１〜１０の何れかに記載の手摺の取付方法。
【発明の詳細な説明】
【技術分野】
【０００１】
本発明は、建物の屋上の周縁部やベランダの外縁部に突設された水返し用堰壁や建物室内の階段部分に突設された堰壁に設置される手摺の取付方法に関するもので、特に手摺支柱の取付方法に関する。
【背景技術】
【０００２】
従来における手摺支柱の取付方法として、例えば特許文献１に記載されたものがある。その取付方法は、アンカー本体とこれの下部側に固着したアンカー鉄筋とからなる支柱アンカーを予めユニットに形成しておいて、この支柱アンカーの下部側アンカー鉄筋を、堰壁の支柱取付位置に穿設したボルト埋設用凹孔に硬化性充填剤を介して挿入し、この硬化性充填剤の硬化によって支柱アンカーを堰壁上に直立状態に取り付け固定してなるものである。
【先行技術文献】
【特許文献】
【０００３】
【特許文献１】特開２００５ー２２６３７６号公報
【発明の概要】
【発明が解決しようとする課題】
【０００４】
特許文献１に記載された従来の手摺支柱の取付方法は、手摺支柱にボルト状のアンカー部材をねじ込んで、その下部を手摺支柱より突出させ、一方手摺取付用の堰壁（パラペット）にアンカー部材を挿入させるためのアンカー部材挿入用深孔を穿設し、この深孔に熱硬化性充填材を充填すると共に、アンカー部材の下部を挿入し、熱硬化性樹脂の硬化によってボルト状のアンカー部材を堰壁状に直立状態に取り付けるようにしたものである。
このように従来の手摺支柱の取付方法は、ボルト状アンカー部材を手摺支柱にねじ込みによって連結する作業と、アンカー部材の下部を堰壁に挿入するためのアンカー部材挿入用の深孔を穿設する作業と、深孔にアンカー部材の下部を挿入すると共に深孔とアンカー部材との間に熱硬化性樹脂を充填するための作業を必要とするため、手摺支柱の取り付けにかなりの手間がかかって、施工費が高くつく難点があった。
【０００５】
また上述のように堰壁にアンカー部材を正確に垂直に立設するためにアンカー部材挿入用深孔を正確に垂直に穿設しなければならないが、該深孔とアンカー部材との間に熱硬化性樹脂を充填するための余裕がなければならず、該深孔を正確に垂直に穿設できても、これに挿入されるアンカー部材が熱硬化性樹脂が充分に硬化するまでアンカー部材を垂直に正確に立設するために保持しておかなければならず、その作業に極めて熟練技術を必要とした。しかも細心の注意をもってアンカー部材を熱硬化性樹脂の接着性能によって堰壁に穿設した深孔に取り付けるようにしても、アンカー部材と深孔との間に微細な隙間ができ、これに雨水が侵入する恐れが多分にあり、また長期の使用によりアンカー部材挿入用深孔にひび割れの発生する恐れもあった。
【０００６】
さらには、上述のように、アンカー部材を手摺支柱にねじ込んだ状態で、この状態でアンカー部材をアンカー部材挿入用深孔に挿入し且つ熱硬化性樹脂によって硬化させることによって、まず手摺支柱を堰壁に立設した状態で、その後に堰壁回りやベランダ躯体の仕上げ工事である外壁塗装工事を行わなければならないため、該塗装工事のために手摺支柱をビニルシートで覆うなどの養生作業が必要であり、また手摺支柱を堰壁に立設した後に他の業種の作業を行なわなければならないため、手摺支柱が障害となって作業能率が悪いという難点もあった。さらに手摺支柱の堰壁への立設後に外壁塗装工事を行わなければならないため、防水効果を上げることが不十分であるという難点もあった。
【０００７】
本発明は、上記の課題に鑑み、上述の従来技術の難点を全て解消し、取付施工がきわめて簡単で、施工費の大幅な低減化を図ることのできる手摺支柱の取付方法を提供することを目的とする。
【課題を解決するための手段】
【０００８】
上記課題を解決するための手段を、後述する実施形態の参照符号を付して説明すると、請求項１にあっては、コンクリート製の手摺取付用堰壁１を形成するための型枠２を枠組みして内部に配筋し、前記堰壁１に手摺支柱３を取り付けるためのアンカー部材４を、アンカー部材配設金具５を用いて、該型枠２内に手摺支柱３の取付間隔に合わせて、且つ隣り合う各アンカー部材４の互いの垂直面が同一面になるように型枠長手方向に配置して該型枠２に取り外し可能に堅固に固定し、次に型枠２内にコンクリートモルタル６を打設し、コンクリートモルタル６の硬化をまってアンカー部材配設金具５をアンカー部材４及び型枠２から取り外し、且つ型枠２を撤去することによって、アンカー部材４の下部４ａが手摺取付用堰壁１に埋設状態に一体的に取り付けられ、しかして該手摺取付用堰壁１に立設されたアンカー部材４に筒状手摺支柱３が嵌合固定されることによって、手摺７がコンクリート製の手摺取付用堰壁１に取り付けられるようにした手摺の取付方法に係る。
【０００９】
請求項２にあっては、前記アンカー部材配設金具５は、型枠２の上縁に水平に載置される水平支持ゲージ８と、該水平支持ゲージ８に垂直に一体形成される垂直支持ゲージ９と、手摺支柱３の取付間隔に合わせて隣合う垂直支持ゲージ９，９間に係脱可能に係止される間隔保持ゲージ１０と、からなる請求項１に記載の手摺の取付方法に係る。
【００１０】
請求項３にあっては、アンカー部材４をアンカー部材配設金具５の垂直支持ゲージ９に挿通させて、アンカー部材４の下部４ａが垂直支持ゲージ９より露出して下方に延びる状態にアンカー部材４を垂直支持ゲージ９に取り外し可能に固定し、この状態でアンカー部材配設金具５を、その水平支持ゲージ８を型枠２の上縁２ａに載置し、且つ隣り合う垂直支持ゲージ９間に間隔保持ゲージ１０を係止するようにして型枠長手方向に順次配置し、しかる後に型枠長手方向両端部のアンカー部材配設金具５をその水平支持ゲージ８が型枠上縁２ａに水平状態に、従って垂直支持ゲージ９及びこれに固定されるアンカー部材４が垂直状態になるように調整して、型枠長手方向両端部の水平支持ゲージ８を型枠２に仮止めし、この状態で型枠長手方向両端部のアンカー部材配設金具５の垂直支持ゲージ９及びこれに固定されるアンカー部材４にわたって長手方向に水糸１１を張設し、この水糸１１に各垂直支持ゲージ９及びアンカー部材４が沿うようにして互いの垂直面が同一面になるように各アンカー部材配設金具５を調整し、しかる後に各アンカー部材配設金具５を型枠上縁２ａに取り外し可能に堅固に固定し、この状態で、型枠２内にコンクリートモルタル６を打設し、しかしてコンクリートモルタル６の硬化をまってアンカー部材配設金具５をアンカー部材４及び型枠２から取り外し、且つ型枠２を撤去することによって、アンカー部材４の下部４ａが手摺取付用堰壁１に埋設状態に一体的に取り付けられ、該アンカー部材４に手摺支柱３が取り付けられるようになっている手摺の取付方法に係る。
【００１１】
請求項４にあっては、アンカー部材４は垂直支持ゲージ９にビス１２によって取り外し可能に固定されるようになっている請求項１〜３の何れかに記載の手摺の取付方法に係る。
【００１２】
請求項５にあっては、アンカー部材配設金具５の水平支持ゲージ８はビス１３によって型枠２に取り外し可能に固定されるようになっている請求項１〜４の何れかに記載の手摺の取付方法に係る。
【００１３】
請求項６にあっては、水平支持ゲージ８には前記ビス１３を覆うためのゲージカバー１４が被覆されるようになっている請求項１〜５の何れかに記載の手摺の取付方法に係る。
【００１４】
請求項７にあっては、互いに隣り合う前記垂直支持ゲージ９の対向側面には係合突部１５が突設されると共に、前記間隔保持ゲージ１０の長手方向両端部には前記係合突部１５に上方側から嵌合するようにして係止するための係合凹部１６が形成されてなる請求項１〜６の何れかに記載の手摺の取付方法に係る。
【００１５】
請求項８にあっては、前記アンカー部材４は、中空又は中実状の断面矩形状ないし円形状のアルミニウム製棒状部材からなる請求項１〜７の何れかに記載の手摺の取付方法に係る。
【００１６】
請求項９にあっては、前記アンカー部材４の下部には鉄筋１７を係合するための係合孔１８が形成されてなる請求項１〜８の何れかに記載の手摺の取付方法に係る。
【００１７】
請求項１０にあっては、前記アンカー部材配設金具５の水平支持ゲージ８に垂直支持ゲージ９がビス１９によって一体的に取り付けられるようになっている請求項１〜９の何れかに記載の手摺の取付方法に係る。
【００１８】
請求項１１にあっては、前記アンカー部材４とこれに嵌合される筒状手摺支柱３とはビス２０によって固定されるようになっている請求項１〜１０の何れかに記載の手摺の取付方法に係る。
【発明の効果】
【００１９】
上記解決手段による発明の効果を、後述する実施形態の参照符号を付して説明すると、請求項１に係る発明によれば、型枠２にコンクリートモルタル６を打設して手摺取付用堰壁１を形成する際に、同時にアンカー部材４の下部４ａがコンクリートモルタル６中に組み込まれているため、コンクリートモルタル６の硬化ににより手摺取付用堰壁１が形成されると同時に、アンカー部材４の下部４ａが手摺取付用堰壁１に一体的に埋設状態に取り付けられ、アンカー部材４は手摺取付用堰壁１に強い締結強度を得ることができる。
【００２０】
しかも予め枠組みした型枠２にアンカー部材配設金具５を用いてアンカー部材４を配設し、この状態でコンクリートモルタル６を型枠２に打設するだけでよいからアンカー部材４の手摺取付用堰壁１に対する設置作業が容易であり、取付施工がきわめて簡単で、施工費の大幅な低減化を図ることのできると共に、ゲージ機構であるアンカー部材配設金具５を用いてアンカー部材４を型枠２に配設することになるからアンカー部材４を手摺取付用堰壁１に極めて正確に取り付けることができる。
【００２１】
さらには、アンカー部材４は、手摺取付用堰壁１に埋設状態に取り付けられ、両者は一体化しており、雨水の侵入を防ぎ、且つアンカー部材４が埋設された部分のひび割れの発生がない。
【００２２】
さらにまた、本発明によれば、アンカー部材４は手摺取付用堰壁１の形成と同時に手摺取付用堰壁１に立設され、その後に手摺支柱３を取り付けることができるから、アンカー部材４に対する手摺支柱３の取付作業は、工事現場の都合に合わせて随時行うことができ、それがために堰壁１やベランダ、廊下等の躯体まわりの仕上げ工事である外壁塗装工事の後に手摺支柱３やその他の笠木、横桟或いは手摺子等の組み立てを行うことができるから、外壁塗装工事の際に手摺に邪魔されることなく防水効果面に注意しながらを作業を行うことができる。
【００２３】
しかも、外壁塗装工事の後に手摺支柱３の取付作業や手摺７全体の組み立て作業を行うことができるため、他の業種の作業を能率的に行うことができ、且つ塗装工事の際のビニルシートの被覆等の養生作業が不要となり養生費を削減することもできる。
【００２４】
請求項２に係る発明によれば、前記アンカー部材配設金具５は、型枠２の上縁に水平に載置される水平支持ゲージ８と、該水平支持ゲージ８に垂直に一体形成される垂直支持ゲージ９と、手摺支柱３の取付間隔に合わせて隣合う垂直支持ゲージ９，９間に係脱可能に係止される間隔保持ゲージ１０と、からなり、手摺取付用堰壁１に取り付けられるアンカー部材４に対する垂直度、水平度及びアンカー部材４の取付間隔を正確に出すための一種のゲージ機構を有し、しかも構成が簡単であるから、結局アンカー部材４を正確に且つ安価に手摺取付用堰壁１に取り付けることができる。
【００２５】
請求項３に係る発明にあっては、アンカー部材４をアンカー部材配設金具５の垂直支持ゲージ９に挿通させて、アンカー部材４の下部４ａが垂直支持ゲージ９より露出して下方に延びる状態にアンカー部材４を垂直支持ゲージ９に取り外し可能に固定し、この状態でアンカー部材配設金具５を、その水平支持ゲージ８を型枠２の上縁２ａに載置し、且つ隣り合う垂直支持ゲージ９間に間隔保持ゲージ１０を係止するようにして型枠長手方向に順次配置し、しかる後に型枠長手方向両端部のアンカー部材配設金具５をその水平支持ゲージ８が型枠上縁２ａに水平状態に、従って垂直支持ゲージ９及びこれに固定されるアンカー部材４が垂直状態になるように調整して、型枠長手方向両端部の水平支持ゲージ８を型枠２に仮止めし、この状態で型枠長手方向両端部のアンカー部材配設金具５の垂直支持ゲージ９及びこれに固定されるアンカー部材４にわたって長手方向に水糸１１を張設し、この水糸１１に各垂直支持ゲージ９及びアンカー部材４が沿うようにして互いの垂直面が同一面になるように各アンカー部材配設金具５を調整し、しかる後に各アンカー部材配設金具５を型枠上縁２ａに取り外し可能に堅固に固定し、この状態で、型枠２内にコンクリートモルタル６を打設し、必要に応じてコンクリートモルタル６硬化前に再度前記垂直支持ゲージ９及びこれに固定されているアンカー部材４の垂直度を調整し、しかる後にコンクリートモルタル６の硬化をまってアンカー部材配設金具５をアンカー部材４及び型枠２から取り外し、且つ型枠２を撤去することによって、アンカー部材４の下部４ａが手摺取付用堰壁１に埋設状態に一体的に取り付けられ、該アンカー部材４に手摺支柱３が取り付けられるようになっているから、請求項１および２による効果を期待することができると共に、型枠長手方向両端部のアンカー部材配設金具５の垂直支持ゲージ９及びこれに固定されるアンカー部材４にわたって張設した水糸１１に各垂直支持ゲージ９及びアンカー部材４が沿うようにして互いの垂直面が同一面になるように各アンカー部材配設金具５を調整することによって、互いに隣り合うアンカー部材４の垂直面を同一面に形成することが簡単容易にできる。
【００２６】
請求項４に係る発明にあっては、アンカー部材４は垂直支持ゲージ９にビス１２によって取り外し可能に固定されるようになっているため、アンカー部材４の垂直支持ゲージ９に対する固定作業や取り外し作業を容易に行うことができる。
【００２７】
請求項５に係る発明にあっては、アンカー部材配設金具５の水平支持ゲージ８はビス１３によって型枠２に取り外し可能に固定されるようになっているため、アンカー部材４の垂直支持ゲージ９に対する固定作業や取り外し作業をビス１３のねじ込みとねじ戻し操作によって容易に行うことができる。
【００２８】
請求項６に係る発明にあっては、水平支持ゲージ８には前記ビス１３を覆うためのゲージカバー１４が被覆されるようになっているため、コンクリートモルタル６を型枠２に打設する際に、コンクリートモルタル６が水平支持ゲージ８を型枠２に固定するビス１３に付着してビス１３のねじ込みとねじ戻し操作に支障をきたすことがない。
【００２９】
請求項７に係る発明にあっては、互いに隣り合う前記垂直支持ゲージ９の対向側面には係合突部１５が突設されると共に、前記間隔保持ゲージ１０の長手方向両端部には前記係合突部１５に上方側から嵌合するようにして係止するための係合凹部１６が形成されてなるため、アンカー部材配設金具５を型枠２の長手方向に所定の間隔に正確に配置する際に、互いに隣り合う前記垂直支持ゲージ９，９間に間隔保持ゲージ１０を上方側から、その係合凹部１６を前記係合突部１５、１５に嵌合するように係合させるだけでよいから、間隔保持ゲージ１０の垂直支持ゲージ９に対する係止作業を容易迅速に行うことができる。
【００３０】
請求項８にあっては、前記アンカー部材４は、中空又は中実状の断面矩形状ないし円形状のアルミニウム製棒状部材からなるため、アンカー部材４を安価に製作することができる。
【００３１】
請求項９にあっては、前記アンカー部材４の下部には鉄筋１７を係合するための係合孔１８が形成されてなるため、型枠２にアンカー部材４を配置する際に、該係合孔１８に鉄筋１７を挿通係合させた状態で配置することによって、これにコンクリートモルタル６中に埋設することによってアンカー効果を一層顕著に発揮させることができると共に、アンカー部材４に対する配筋作業を容易に且つ効果的に行うことができる。
【００３２】
請求項１０にあっては、前記アンカー部材配設金具５の水平支持ゲージ８に垂直支持ゲージ９がビス１９によって一体的に取り付けられるようになっているため、水平支持ゲージ８に対する垂直支持ゲージ９の一体的形成を簡単な構造によって容易に且つ正確に製作することができる。
【００３３】
請求項１１にあっては、前記アンカー部材４とこれに嵌合される筒状手摺支柱３とはビス２０によって固定されるようになっているため、アンカー部材４に対する手摺支柱３の固定作業を簡単な構造によって容易に行うことができる。
【図面の簡単な説明】
【００３４】
【図１】（ａ）は、本発明に係る手摺の取付方法の最初の工程を示す正面図ある。（ｂ）は、同斜視図である。
【図２】（ａ）は、同次工程を示す正面図である。（ｂ）は、同斜視図である。
【図３】（ａ）は、同次工程を示す正面図である。（ｂ）は、同斜視図である。
【図４】同次工程を示す斜視図である。
【図５】同要部の一部横断平面図である。
【図６】図５のＡーＡ線断面図である。
【図７】同要部である間隔保持ゲージの裏側から見た斜視図である。
【図８】同要部であるアンカー部材の斜視図である。
【図９】同次工程を示す縦断正面図である。
【図１０】同次工程を示す縦断正面図である。
【図１１】同次工程を示す縦断正面図である。
【図１２】同次工程を示す縦断正面図である。
【図１３】同最終工程を示す縦断正面図である。
【図１４】本発明によって組み立てられた手摺の斜視図である。
【発明を実施するための形態】
【００３５】
以下に本発明の好適実施形態を図面に基づいて説明すると、図１の（ａ）及び（ｂ）は、本発明に係る手摺の取付方法の最初の工程を示すもので、まず最初に手摺取付用堰壁１を形成するための型枠２を組み立てる。この型枠２は、周知のように角材等からなる支保工２ｂとせき板２ｃ及び底板２ｄからなるもので、内部に鉄筋１７を配設したのもので、まずこの枠組み作業から開始する。なお、せき板２ｃの内壁には適宜三角状の突起２ｅが一体的に形成されているが、これは後述のように手摺取付用堰壁１のコーナー部の面取りのために形成されるものである。
【００３６】
次に図２の（ａ）及び（ｂ）に示すように、アンカー部材配設金具５を用いてアンカー部材４が型枠２に正確に配設されることになる。
【００３７】
アンカー部材配設金具５は、水平支持ゲージ８と垂直支持ゲージ９と間隔保持ゲージ１０とからなるが、水平支持ゲージ８は、図示のように載置面８ａと側片８ｂとを備えた断面上向きの板材からなり、垂直支持ゲージ９は、図示のように、また図５及び図６に示すように角筒状の枠材からなる。そして、垂直支持ゲージ９は水平支持ゲージ８に正確に直角にビス１９によって連結されるようになっているが、この際、ビス１９は、図６に示すようにその底部８ａと側部８ｂとの２面からねじ込まれ、両者を強固に一体的に形成するようになっている。
【００３８】
垂直支持ゲージ９の角筒状内部９ａには、アンカー部材４が挿通されて、アンカー部材４の下部４ａが垂直支持ゲージ９から下方に露出して延びており、この状態でビス１２によってアンカー部材４は垂直支持ゲージ９に取り外し可能に強固に固定されるようになっている。
【００３９】
アンカー部材４は、図８に示すように、中空状ないし図示しないが中実状であって断面矩形状ないし図示しないが円形状のアルミ押出形材或いは鋼材の棒状部材からなり、構造が簡単であるから安価に製作することができる。なお、図６に示すように、垂直支持ゲージ９の上端部には蓋２２がビス２３によって取り付けられ、この蓋２２にアンカー部材４がその中心部に正確に挿通するための挿通孔２４が穿たれ、また水平支持ゲージ８にもアンカー部材４が正確に垂直支持ゲージ９の内部中心部に挿通されるための挿通孔２５が穿たれている。
【００４０】
そして、アンカー部材配設金具５を型枠２の長手方向に所定の対向間隔を設けて正確に配置されるように、隣り合うアンカー部材配設金具５の垂直支持ゲージ９，９間に間隔保持ゲージ１０が係止される。
【００４１】
両者の係止構造を説明すると、垂直支持ゲージ９の左右両側部には、図５及び図６に詳細に図示されるように、係合突部１５が水平方向に突設されている。この係合突部１５は垂直支持ゲージ９の側壁を貫通して取り付けられたボルト１５ａとナット１５ｂとからなる。また間隔保持ゲージ１０は、同じく図５及び図６、特に図７に示すように、断面下向きコ字状のアルミ押出形材からなり、該間隔保持ゲージ１０の両端部に板片２１が下向きに突設され、これに下向きＵ字状の係合凹部１６が形成され、該係合凹部１６が垂直支持ゲージ９の係合突部１５に上方側から嵌合するように係合され、ナット１５ｂを締め付けることによって垂直支持ゲージ９と間隔保持ゲージ１０とは強固に係止されるようになっている。なお、ナット１５ｂを緩めることによって間隔保持ゲージ１０を垂直支持ゲージ９から取り外すことができる。
【００４２】
図２の（ａ）及び（ｂ）に示すように、アンカー部材４を上述のようにして取り付けたアンカー部材配設金具５が型枠２長手方向に間隔保持ゲージ１０の長さ間隔に配置され、型枠長手方向に直交する内外側の型枠上縁２ａ，２ａにわたって仮置きされる。これによってアンカー部材４の下部４ａは型枠２の内部に延びた状態に位置しており、これに適宜鉄筋１７が取り付けられている。
【００４３】
次に図３の（ａ）及び（ｂ）に示すように、型枠長手方向両端部のアンカー部材配設金具５をその水平支持ゲージ８が型枠上縁２ａに水平状態に、従って垂直支持ゲージ９及びこれに固定されるアンカー部材４が垂直状態になるように、例えば型枠上縁２ａと水平支持ゲージ８との間に薄い板片等のスペーサー２７を噛みこまこませて調整して、その状態で型枠長手方向両端部の水平支持ゲージ８をクランプ腕等に仮止め金具２６によって型枠２に仮止めし、この状態で型枠長手方向両端部のアンカー部材配設金具５の垂直支持ゲージ９及びこれに固定されるアンカー部材４にわたって長手方向に水糸１１を張設し、この水糸１１に各垂直支持ゲージ９及びアンカー部材４が沿うようにして接触させて互いの垂直面９ａ，４ｂが同一面になるように各アンカー部材配設金具５を調整する。
【００４４】
そして、型枠２の長手方向に一定間隔に配置されたアンカー部材４及び垂直支持ゲージ９の互いの垂直面４ｂ，９ａが同一面に調整されたことを確認して、図４及び図９に示すように、水平支持ゲージ８をビス１３，１３によって型枠２の例えば肉厚の支保工２ｂの上縁２ａに強固に固定する。
【００４５】
また図４、図５、図６及び図９に示すように、水平支持ゲージ８からビス１３，１３を型枠２にねじ込んだ後に、ゲージカバー１４を水平支持ゲージ８に嵌合して、水平支持ゲージ８上のビス１３，１３を被覆するようになっている。なお、ゲージカバー１４には、図４、図５及び図９に示されるように、ビスカバー２８が一体形成され、該ビスカバー２８によって垂直支持ゲージ９とこれに挿通されているアンカー部材４とを固定するビス１２を被覆するようになっている。
【００４６】
このように、型枠２にアンカー部材配設金具５が正確に且つ強固に固定されたならば、図９に示すように、コンクリートモルタル６が、鉄筋１７が配筋された型枠２内に打設される。コンクリートモルタル６が打設されると、約２〜３日後に強固に硬化することになる。アンカー部材４の下部４ａの埋設深さは１２０〜１５０ｍｍが好ましい。
【００４７】
そして、コンクリートモルタル６の硬化をまって、まず図１０に示すように、アンカー部材配設金具５の間隔保持ゲージ１０を前述のナット１５ｂ（図５、図６）を緩めることによって垂直支持ゲージ９から取り外し、次に図１１に示すように、ビス１３と図９に示すビス１２を緩めることによってアンカー部材配設金具５をアンカー部材４と型枠２から取り外すことになる。
【００４８】
さらに、型枠２を撤去することによって、図１２に示すように、コンクリート製の手摺取付用堰壁１が形成され、アンカー部材４の下部４ａが該堰壁１に埋設状態に一体化し、且つ鉄筋１７に補強されてアンカー部材４が手摺取付用堰壁１に立設されることになる。
【００４９】
上述のようにして、アンカー部材４が手摺取付用堰壁１に正確に且つ強固に立設されることによって、最終行程として図１３に示すように、手摺支柱３をアンカー部材４に嵌合し、ビス２０によって手摺支柱３をアンカー部材４に固定し、笠木７ａ、横桟７ｂ、手摺子７ｃ等を取り付けることによって、図１４に示すように、アンカー部材４に手摺支柱３が嵌合され、該アンカー部材４によって強固に且つ正確に手摺支柱３が手摺取付用堰壁１に取り付けられて、手摺７を組み立てることができることになる。
【符号の説明】
【００５０】
１          手摺取付用堰壁
２          型枠
２ａ        型枠の上縁
３          手摺支柱
４          アンカー部材
５          アンカー部材配設金具
６          コンクリートモルタル
７          手摺
８          水平支持ゲージ
９          垂直支持ゲージ
１０        間隔保持ゲージ
１１        水糸
１２        ビス
１３        ビス
１４        ゲージカバー
１５        係合突部
１６        係合凹部
１７        鉄筋
１８        係合孔
１９        ビス
２０        ビス
【図１】
2010209597.tif 000003
【図２】
2010209597.tif 000004
【図３】
2010209597.tif 000005
【図４】
2010209597.tif 000006
【図５】
2010209597.tif 000007
【図６】
2010209597.tif 000008
【図７】
2010209597.tif 000009
【図８】
2010209597.tif 000010
【図９】
2010209597.tif 000011
【図１０】
2010209597.tif 000012
【図１１】
2010209597.tif 000013
【図１２】
2010209597.tif 000014
【図１３】
2010209597.tif 000015
【図１４】
2010209597.tif 000016